(57)【要約】【課題】複数の香りを場面に応じて切り換えて放出することが可能なプロジェクタを提供する。【解決手段】プロジェクタ１は、芳香剤を貯留する複数の貯留部と、複数の貯留部から１つを選択する選択部（保持部材回動部２３および保持部材１７）と、光源２２から発生する熱を、選択部が選択した貯留部に熱伝達することによって、芳香剤を蒸発または昇華させる熱伝達部と、選択部が選択する貯留部を表す選択貯留部情報、および、選択部が貯留部を選択すべきタイミングを表すタイミング情報を記憶する情報記憶部４４と、タイミング情報に基づくタイミングで、選択貯留部情報に基づく貯留部を選択部に選択させ、選択した貯留部から蒸発または昇華した芳香剤を放出させる芳香剤放散制御部４３と、を備える。【選択図】図５
2009192969.tif 000002
【特許請求の範囲】
【請求項１】
光源と、前記光源から射出された光を画像情報に応じて変調して画像を形成する光変調装置と、前記光変調装置で形成された前記画像を投写する投写光学系と、を有するプロジェクタであって、
芳香剤を貯留する複数の貯留部と、
複数の前記貯留部から１つを選択する選択部と、
前記光源から発生する熱を、前記選択部が選択した前記貯留部に熱伝達することによって、前記芳香剤を蒸発または昇華させる熱伝達部と、
前記選択部が選択する前記貯留部を表す選択貯留部情報、および、前記選択部が該貯留部を選択すべきタイミングを表すタイミング情報を記憶する情報記憶部と、
前記タイミング情報に基づくタイミングで、前記選択貯留部情報に基づく前記貯留部を前記選択部に選択させ、選択した前記貯留部から前記蒸発または昇華した芳香剤を放出させる芳香剤放散制御部と、
を備えたことを特徴とするプロジェクタ。
【請求項２】
請求項１に記載のプロジェクタであって、
前記タイミング情報および前記選択貯留部情報を前記情報記憶部に記憶させる情報設定手段をさらに備えることを特徴とするプロジェクタ。
【請求項３】
請求項１または２に記載のプロジェクタであって、
計時を行う計時部をさらに備え、
前記情報記憶部に記憶された前記タイミング情報は、前記計時部が計時を開始した時点からの経過時間を表す経過時間情報であることを特徴とするプロジェクタ。
【請求項４】
請求項１または２に記載のプロジェクタであって、
チャプタ情報を含む画像信号を記録媒体から読み出して、前記画像を再生するための前記画像情報を生成する画像再生部をさらに備え、
前記情報記憶部に記憶された前記タイミング情報は、チャプタ番号を表すチャプタ番号情報であることを特徴とするプロジェクタ。
【請求項５】
請求項４に記載のプロジェクタであって、
前記画像再生部は、ＤＶＤ再生部であることを特徴とするプロジェクタ。
【請求項６】
請求項１乃至５のいずれか一項に記載のプロジェクタであって、
前記選択部は、複数の前記貯留部を保持する保持部材と、前記保持部材を略鉛直な軸を中心に回動させる回動部とを備え、
前記保持部材は、複数の前記貯留部を前記軸から略等しい距離で保持するとともに、回動により１つの前記貯留部を選択的に前記熱伝達部の上方に位置させて、前記熱伝達部からの伝熱を可能とし、
前記芳香剤放散制御部は、前記回動部に前記保持部材を回動させて前記貯留部を選択させ、前記蒸発または昇華した芳香剤を放出させることを特徴とするプロジェクタ。
【請求項７】
請求項６に記載のプロジェクタであって、
前記保持部材が所定の位置に回動された場合、いずれの前記貯留部も前記熱伝達部の上方から離間されて配置されることを特徴とするプロジェクタ。
【発明の詳細な説明】
【技術分野】
【０００１】
本発明は、プロジェクタに関する。
【背景技術】
【０００２】
従来、画像投写時に、ランプ（光源）から発生する熱を利用して、芳香剤の芳香成分を拡散（放出）させ、ユーザをリラックスさせることができるプロジェクタが提案されている（特許文献１参照）。このようなプロジェクタを用いることで、リラックスして映画等を鑑賞することができる。
【０００３】
【特許文献１】特開２００６−２３５５０号公報
【発明の開示】
【発明が解決しようとする課題】
【０００４】
しかしながら、映画等の映像には様々な場面（シーン）が含まれており、場面に関わらず同一の芳香（香り）が放出されていると、場面と香りとがマッチしない場合がある。そこで、このような様々な場面においては、その場面にマッチした香りに切り換えて楽しみたいという要望があった。従って、複数の香りを場面に応じて切り換えて放出することが可能なプロジェクタが求められていた。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクタは、光源と、前記光源から射出された光を画像情報に応じて変調して画像を形成する光変調装置と、前記光変調装置で形成された前記画像を投写する投写光学系と、を有するプロジェクタであって、芳香剤を貯留する複数の貯留部と、複数の前記貯留部から１つを選択する選択部と、前記光源から発生する熱を、前記選択部が選択した前記貯留部に熱伝達することによって、前記芳香剤を蒸発または昇華させる熱伝達部と、前記選択部が選択する前記貯留部を表す選択貯留部情報、および、前記選択部が該貯留部を選択すべきタイミングを表すタイミング情報を記憶する情報記憶部と、前記タイミング情報に基づくタイミングで、前記選択貯留部情報に基づく前記貯留部を前記選択部に選択させ、選択した前記貯留部から前記蒸発または昇華した芳香剤を放出させる芳香剤放散制御部と、を備えたことを特徴とする。
【０００７】
このようなプロジェクタによれば、選択部は、複数の貯留部から１つを選択することで貯留された芳香剤を選択し、熱伝達部は、光源から発生する熱を選択された貯留部に熱伝達して芳香剤を蒸発または昇華させる。また、情報記憶部は、選択する貯留部を表す選択貯留部情報、および、貯留部を選択すべきタイミングを表すタイミング情報を記憶する。そして、芳香剤放散制御部は、情報記憶部に記憶されたタイミングで、貯留部を選択部に選択させ、選択した貯留部から蒸発または昇華した芳香剤を放出させる。これにより、映像の場面に応じて、様々な香りを放出させることができる。なお、「芳香」や「香り」は、よいにおいに限定するものではなく、様々なにおいを表すものとする。
【０００８】
［適用例２］上記適用例に係るプロジェクタにおいて、前記タイミング情報および前記選択貯留部情報を前記情報記憶部に記憶させる情報設定手段をさらに備えることを特徴とする。
【０００９】
このようなプロジェクタによれば、情報設定手段は、情報記憶部に貯留部を選択するタイミング情報、および、選択する貯留部を表す選択貯留部情報を記憶させる。これにより、ユーザは、情報設定手段を用いて、所望のタイミングで、所望の香りを放出させることができる。
【００１０】
［適用例３］上記適用例に係るプロジェクタにおいて、計時を行う計時部をさらに備え、前記情報記憶部に記憶された前記タイミング情報は、前記計時部が計時を開始した時点からの経過時間を表す経過時間情報であることを特徴とする。
【００１１】
このようなプロジェクタによれば、タイミング情報は、計時を開始した時点からの経過時間情報とする。これにより、計時を開始した時点を香りの放出の開始時刻として、経過時間に対応して、細かなタイミングで様々な香りを放出させることができる。
【００１２】
［適用例４］上記適用例に係るプロジェクタにおいて、チャプタ情報を含む画像信号を記録媒体から読み出して、前記画像を再生するための前記画像情報を生成する画像再生部をさらに備え、前記情報記憶部に記憶された前記タイミング情報は、チャプタ番号を表すチャプタ番号情報であることを特徴とする。
【００１３】
このようなプロジェクタによれば、画像再生部を備え、タイミング情報はチャプタ番号情報とすることで、記録媒体の画像情報のチャプタに対応して、様々な香りを放出させることができる。
【００１４】
［適用例５］上記適用例に係るプロジェクタにおいて、前記画像再生部は、ＤＶＤ再生部であることを特徴とする。
【００１５】
［適用例６］上記適用例に係るプロジェクタにおいて、前記選択部は、複数の前記貯留部を保持する保持部材と、前記保持部材を略鉛直な軸を中心に回動させる回動部とを備え、前記保持部材は、複数の前記貯留部を前記軸から略等しい距離で保持するとともに、回動により１つの前記貯留部を選択的に前記熱伝達部の上方に位置させて、前記熱伝達部からの伝熱を可能とし、前記芳香剤放散制御部は、前記回動部に前記保持部材を回動させて前記貯留部を選択させ、前記蒸発または昇華した芳香剤を放出させることを特徴とする。
【００１６】
このようなプロジェクタによれば、選択部は、複数の貯留部を保持する保持部材と、保持部材を回動させる回動部を備える。保持部材が回動することにより、１つの貯留部を選択して熱伝達部から伝熱させる。そして、芳香剤放散制御部は回動部に保持部材を回動させて貯留部を選択させて芳香剤を蒸発または昇華させる。これにより、保持部材の回動動作によって、映像等の場面に応じて、複数の中から１つの貯留部を選択して香りを放出させることができる。
【００１７】
［適用例７］上記適用例に係るプロジェクタにおいて、前記保持部材が所定の位置に回動された場合、いずれの前記貯留部も前記熱伝達部の上方から離間されて配置されることを特徴とする。
【００１８】
このようなプロジェクタによれば、保持部材を所定の位置に回動することにより、貯留部は熱伝達部から離間されて配置されることで伝熱されないため、香りの放出を停止することができる。
【発明を実施するための最良の形態】
【００１９】
以下、実施形態について説明する。
【００２０】
（第１の実施形態）
図１は、第１の実施形態に係るプロジェクタ１を前面から見た斜視図である。
図１に示すように、プロジェクタ１は、その本体が筐体１０で覆われた構成となっており、筐体１０の前面１０ａには投写光学系としての投写レンズ１１およびリモコン受信部１３を備えている。
【００２１】
プロジェクタ１は、筐体１０の上面１０ｂに、入力操作部１２を備えている。さらに、上面１０ｂには、芳香剤放散機構蓋１５が備えられており、芳香剤放散機構蓋１５には、芳香剤放散口１６が備えられている。
【００２２】
芳香剤放散機構蓋１５は、香りを放出するための機構（以降、「芳香剤放散機構」と呼ぶ）を被覆するための蓋である。芳香剤放散口１６は、芳香剤放散機構蓋１５に設けられた香りを放出する穴である。本実施形態では、芳香剤放散口１６は、複数の微小な穴の集合により形成されている。
【００２３】
図２は、芳香剤放散機構蓋１５を外したプロジェクタ１を前面から見た斜視図である。
図２に示すように、プロジェクタ１の内部には、芳香剤放散機構が備えられている。芳香剤放散機構は、上部に円板状の保持部材１７を備えている。保持部材１７には、３つの開口部１８（１８ａ，１８ｂ，１８ｃ）が形成され、その開口部１８（１８ａ，１８ｂ，１８ｃ）には、芳香剤を貯留する容器形状をした３つの貯留部１９（１９ａ，１９ｂ，１９ｃ）が設置されている。芳香剤としては、例えば、アロマテラピーで使用される精油等が使用される。なお、開口部１８および貯留部１９の数は、３つに限定するものではない。
【００２４】
次に、芳香剤放散機構について、図３を用いて説明する。
図３は、芳香剤放散機構の概略斜視図である。芳香剤放散機構は、上述した保持部材１７と、貯留部１９と、支持部材２０と、熱伝達部としての熱伝達部材２１と、光源２２（ランプ）と、回動部としての保持部材回動部２３と、ファン駆動部２５と、ファン２６と、囲い部材２７とを備えている。
【００２５】
図３に示すように、保持部材１７の下方には、貯留部１９の下面を支持するためのドーナツ状の支持部材２０、および、略矩形状の熱伝達部材２１が配置されている。熱伝達部材２１は、芳香剤放散口１６の略鉛直下方で、ドーナツ状の支持部材２０の一部を切り欠いた部位に配置されている。そして、熱伝達部材２１の下方には、光源２２が配置されている。熱伝達部材２１は、熱伝導率が高い部材で構成されており、光源２２から発生する熱を貯留部１９の１つ（図３においては貯留部１９ｂ）に伝熱する。支持部材２０は、熱伝達部材２１と比較して熱伝導性の低い部材で構成されている。なお、支持部材２０は、ドーナツ状に限定するものではない。
【００２６】
また、円板状の保持部材１７の外周には、ギヤ１７１が形成されており、保持部材回動部２３のギヤ部２３１と噛合している。保持部材回動部２３は、モータ部２３２およびギヤ部２３１によって構成されている。なお、上述した保持部材１７および保持部材回動部２３は、選択部に相当する。
【００２７】
また、芳香剤放散口１６の下部（芳香剤放散機構蓋１５の裏面）には、ファン２６とファン２６を駆動するためのファンモータ（ファン駆動部２５）とが設置されており、ファン２６が回転することにより、貯留部１９ｂ内の芳香剤の香りが芳香剤放散口１６からプロジェクタの外部に放出される。また、ファン２６の周囲にはカーテン状の囲い部材２７を備えている。
【００２８】
図４は、保持部材１７を上面から見た説明図である。
図４に示すように、保持部材１７は軸１７ａを中心とした円板状であり、軸１７ａから略等しい距離で貯留部１９（１９ａ，１９ｂ，１９ｃ）を設置可能な開口部１８（１８ａ，１８ｂ，１８ｃ）が装設されている。そして、保持部材１７の外周に形成されたギヤ１７１は、保持部材回動部２３のギヤ部２３１と噛合している。
【００２９】
図３および図４に示すような構成により、保持部材回動部２３のモータ部２３２が回転してギヤ部２３１が回転することにより、保持部材１７が軸１７ａを中心として回動される（図３および図４の矢印方向）。保持部材１７が回動されることにより、貯留部１９（１９ａ，１９ｂ，１９ｃ）が移動され、いずれか１つの貯留部（図３においては貯留部１９ｂ）が熱伝達部材２１に当接する位置に配置されると、光源２２からの熱が貯留部１９ｂに伝達される。そして、貯留部１９ｂを熱伝達部材２１上に留めておくと、貯留部１９ｂに貯留されている芳香剤が蒸発または昇華する。そして、蒸発または昇華した芳香剤は、芳香剤放散口１６の下部に設置されたファン２６の回転により吸い上げられ、芳香剤放散口１６からプロジェクタ１の外部に放出される。
【００３０】
また、保持部材回動部２３が保持部材１７を回動させ、いずれの貯留部１９も熱伝達部材２１に接しない位置に配置すると、熱伝達部材２１から伝熱されないため、芳香剤が蒸発または昇華せず、香りの放出は停止する。本実施形態では、図３および図４において、保持部材１７を１８０度回動することで、いずれの貯留部１９も熱伝達部材２１に接しない状態となる。ここで、いずれの貯留部１９も熱伝達部材２１に接しない位置は、所定の位置に相当する。
【００３１】
図５は、第１の実施形態に係るプロジェクタ１の概略構成を示すブロック図である。図５を使用して、プロジェクタ１の内部構成について説明する。
【００３２】
プロジェクタ１は、画像投写部３０、制御部４０、入力操作部１２、リモコン受信部１３、計時部４１、光源制御部４２、芳香剤放散制御部４３、保持部材回動部２３、保持部材１７、ファン駆動部２５、ファン２６、入力端子５０、画像信号変換部５１、画像処理部５２、ＯＳＤ処理部５３等を備えている。また、図５には、プロジェクタ１の外部に、スクリーンＳＣ、リモコン１４、画像出力装置Ｃを図示している。
【００３３】
画像投写部３０は、超高圧水銀ランプやメタルハライドランプ等の放電型光源等からなる光源２２と、光変調装置としての液晶ライトバルブ３２と、投写光学系としての投写レンズ１１と、液晶ライトバルブ３２を駆動するライトバルブ駆動部３４とを備えている。なお、光源２２は、放電型光源に限定するものではない。
【００３４】
液晶ライトバルブ３２は、一対の透明基板間に液晶が封入された透過型液晶パネル等によって構成される。ライトバルブ駆動部３４の駆動によって、液晶ライトバルブ３２の各画素に画像情報に応じた駆動電圧が印加されると、各画素は、画像情報に応じた光透過率で光源光を透過させる。
【００３５】
光源２２から射出された光は、この液晶ライトバルブ３２を透過することによって変調され、変調後の光が投写レンズ１１によって投写されることにより、スクリーンＳＣ等に画像情報に応じた画像が表示される。
【００３６】
制御部４０は、ＣＰＵ（Central Processing Unit）、各種データの一時記憶等に用いられるＲＡＭ（Random Access Memory）、および、マスクＲＯＭ（Read Only Memory）やフラッシュメモリ、ＦｅＲＡＭ（Ferroelectric RAM：強誘電体メモリ）等の不揮発性のメモリ等（いずれも図示せず）を備え、コンピュータとして機能するものである。制御部４０は、ＣＰＵが不揮発性のメモリに記憶されている制御プログラムに従って動作することにより、プロジェクタ１の動作を統括制御する。
【００３７】
入力操作部１２は、プロジェクタ１に対して各種指示を行うための複数のキー等を備えている。入力操作部１２が備えるキーとしては、電源のオン／オフを行うための「電源キー」や、入力ソースを切り換えるための「入力ソース切換キー」、各種設定を行うためのメニュー画面の表示／非表示を切り換える「メニューキー」、メニュー画面におけるカーソルの移動等に用いられる「カーソルキー」、各種設定を決定するための「決定キー」、ユーザが香りの設定の開始を指示するための「香り演出記憶開始キー」、貯留部１９を選択／解除する（香りを選択／停止する）ために用いられ、各貯留部１９に対応する３つの「貯留部選択キー」、記憶した香りを再生するための「香り演出再生キー」、香りの記憶および再生を終了するための「香り演出終了キー」等がある。ユーザが入力操作部１２を操作すると、入力操作部１２は、ユーザの操作内容に応じた操作信号を制御部４０に出力する。
【００３８】
リモコン１４は、入力操作部１２と同様に、プロジェクタ１に対して各種指示を行うための複数のキー等を備えている。そして、リモコン１４は、ユーザの操作内容に応じた赤外線等の操作信号を送信する。リモコン受信部１３は、リモコン１４が送信した操作信号を受信して、制御部４０に伝達する。
【００３９】
計時部４１は、制御部４０または芳香剤放散制御部４３からの指示によって、様々な計時処理を行う。本実施形態では、芳香剤放散制御部４３が保持部材回動部２３に貯留部１９を選択させるタイミングとしての経過時間を計時する。計時部４１は、このような計時を行い、所定の経過時間に達した時点で制御部４０または芳香剤放散制御部４３に通知を行う。
【００４０】
光源制御部４２は、制御部４０の指示に基づいて、光源２２に対する電力の供給と停止とを制御し、光源２２の点灯および消灯を切り換える。
【００４１】
芳香剤放散制御部４３は、制御部４０を介して受け取ったユーザの操作に基づく操作信号に応じて、選択する貯留部１９を表す選択貯留部情報、および、貯留部１９を選択すべきタイミングを表すタイミング情報（以降、選択貯留部情報およびタイミング情報を併せて「貯留部情報」と呼ぶ）について、情報記憶部４４から読み出しを行ったり、情報記憶部４４への書き込みを行ったりする。
【００４２】
また、芳香剤放散制御部４３は、情報記憶部４４から読み出した貯留部情報、または、ユーザの操作に基づく操作信号に基づいて、保持部材回動部２３に指示を出し、保持部材回動部２３に保持部材１７を回動させて、貯留部１９を選択させる。さらに、芳香剤放散制御部４３は、香りを放出する際には、ファン駆動部２５を制御して、ファン２６を回転させる。また、計時部４１に指示を出し、経過時間の計時を行わせる。
【００４３】
保持部材回動部２３は、芳香剤放散制御部４３からの指示に基づいて、保持部材１７の回動や停止を行う。
【００４４】
保持部材１７は、保持部材回動部２３により回動される。そして、その回動位置によって、貯留部１９（１９ａ，１９ｂ，１９ｃ）の選択、または、所定の位置により非選択とすることで、放出する香りを切り換える。
【００４５】
ファン駆動部２５は、芳香剤放散制御部４３からの指示に基づいて、ファン２６の回転や停止を行う。
【００４６】
ファン２６は、ファン駆動部２５により駆動されて回転する。そして、ファン２６は、貯留部１９から発せられた香りをプロジェクタ１の外部に放出する。
【００４７】
情報記憶部４４は、不揮発性のメモリからなり、選択する貯留部を表す番号、および、該貯留部を選択すべきタイミングとしての経過時間を記憶する。
図６は、情報記憶部４４の領域構成図である。図６に示すように、情報記憶部４４にはデータ配列Ｈ１が記憶されている。データ配列Ｈ１の左側の列には、経過時間が記憶され、右側の列には経過時間に対応して選択すべき貯留部の番号が記憶されている。本実施形態では、経過時間は分単位とし、貯留部の番号は、貯留部１９ａ，１９ｂ，１９ｃをそれぞれ番号１，２，３に対応させて記憶している。貯留部の番号が０の場合は、香りの放出停止を表す。
【００４８】
図５に戻り、入力端子５０には、ビデオ再生装置やパーソナルコンピュータ等、外部の画像出力装置Ｃから、各種形式の画像信号がケーブルを介して入力される。入力端子５０に入力された画像信号は、画像信号変換部５１に供給される。
【００４９】
画像信号変換部５１は、入力端子５０から入力された画像信号に対してＡ／Ｄ変換等の信号変換処理を行って、処理後の画像情報を画像処理部５２に出力する。
【００５０】
画像処理部５２は、制御部４０の指示に基づいて、画像信号変換部５１から入力される画像情報に対して、明るさ、コントラスト、シャープネス、色合い等を調整するための処理等を行う。画像処理部５２は、このような調整および処理を行った画像情報をＯＳＤ処理部５３に出力する。
【００５１】
ＯＳＤ処理部５３は、制御部４０の指示に基づいて、メニュー画面やメッセージ画面等のＯＳＤ（オンスクリーンディスプレイ）画像を、画像処理部５２から入力される画像情報に重畳する処理を行う。ＯＳＤ処理部５３は、図示しないＯＳＤメモリを備えており、ＯＳＤ画像を形成するための図形やフォント等を表すＯＳＤ画像データを記憶している。制御部４０が、ＯＳＤ画像の重畳を指示すると、ＯＳＤ処理部５３は、必要なＯＳＤ画像データをＯＳＤメモリから読み出し、入力画像の所定の位置にＯＳＤ画像が重畳されるように、画像処理部５２から入力される画像情報にこのＯＳＤ画像データを合成する。ＯＳＤ画像データが合成された画像情報は、ライトバルブ駆動部３４に出力される。なお、制御部４０からＯＳＤ画像を重畳する旨の指示がない場合には、ＯＳＤ処理部５３は、画像処理部５２から出力される画像情報を、そのままライトバルブ駆動部３４に出力する。
【００５２】
次に、本実施形態のプロジェクタ１の動作について説明する。
プロジェクタ１に外部からＡＣ１００Ｖ等の商用電源が供給されると、電源回路（図示せず）は、制御部４０、入力操作部１２、リモコン受信部等に電力（スタンバイ電力）の供給を行う。制御部４０は、この電力供給を受けて、制御プログラムに従った動作を開始する。商用電源が供給された直後には、プロジェクタ１は、スタンバイ状態であり、この状態では、制御部４０は、入力操作部１２またはリモコン受信部１３の電源キーに対する操作（オン操作）を監視する。そして、このオン操作を検知すると、制御部４０は、電源回路に指示をして画像の投写等に必要なメイン電力の供給を開始させ、プロジェクタ１をオン状態とするとともに、光源２２を点灯させる等の必要な初期動作を行う。この結果、プロジェクタ１に入力された画像信号に応じた画像が画像投写部３０から投写される。
【００５３】
例えば映画等の映像の画像信号を入力し、上述したようにプロジェクタ１の投写を開始したときに、ユーザが入力操作部１２またはリモコン１４に備わる香り演出記憶開始キーを押下すると、プロジェクタ１は、ユーザによる貯留部１９を選択する操作を受け付けて、貯留部情報の記憶を開始する。次に、プロジェクタ１の貯留部情報の記憶について説明する。
【００５４】
図７は、プロジェクタの貯留部情報記憶処理のフローチャートである。プロジェクタ１の入力操作部１２またはリモコン１４に備えられた香り演出記憶開始キーが押下されたときに、プロジェクタ１は、図７に示すフローに従って動作する。
【００５５】
制御部４０は、香り演出記憶開始キーが押下されたと判断すると、芳香剤放散制御部４３に通知し、芳香剤放散制御部４３は、計時部４１に計時を開始させる（ステップＳ１０１）。次に、芳香剤放散制御部４３は、いずれかの貯留部選択キーが押下されたか否かを判断する（ステップＳ１０２）。いずれかの貯留部選択キーが押下されたときには（ステップＳ１０２：ＹＥＳ）、芳香剤放散制御部４３は、貯留部選択処理（サブルーチン）を実行し、貯留部１９を選択して貯留部情報を記憶させる（ステップＳ１０３）。貯留部選択処理が終了した後は、ステップＳ１０２に移行する。
【００５６】
貯留部選択キーが押下されていないときは（ステップＳ１０２：ＮＯ）、制御部４０は、香り演出終了キーが押下されているか否かを判断する（ステップＳ１０４）。香り演出終了キーが押下されていない場合は（ステップＳ１０４：ＮＯ）、ステップＳ１０２に移行する。香り演出終了キーが押下されている場合は（ステップＳ１０４：ＹＥＳ）、芳香剤放散制御部４３は、保持部材回動部２３に指示をして香りの放出を停止する（ステップＳ１０５）。次に、芳香剤放散制御部４３は、情報記憶部４４に香りの放出停止を表す番号「０」を記憶させる（ステップＳ１０６）。さらに、芳香剤放散制御部４３は、情報記憶部４４に香り放出停止時間を記憶させる（ステップＳ１０７）。芳香剤放散制御部４３は、計時部４１に計時を終了させる（ステップＳ１０８）。そして、貯留部情報記憶処理を終了する。
【００５７】
次に、貯留部選択処理（サブルーチン）について説明する。
図８は、貯留部選択処理のフローチャートである。プロジェクタ１は、貯留部選択キーが押下されたときに、図８に示すフローに従って動作する。
【００５８】
芳香剤放散制御部４３は、押下された貯留部選択キーの種類を判断する（ステップＳ２０１）。貯留部１９ａに対応する貯留部選択キーが押下されていれば（ステップＳ２０１：貯留部１９ａ）、芳香剤放散制御部４３は、現在、貯留部１９ａが選択されている状態か否かを判断する（ステップＳ２０２）。現在、貯留部１９ａが選択されていない場合（ステップＳ２０２：ＮＯ）、芳香剤放散制御部４３は、保持部材回動部２３に指示をして貯留部１９ａに切り換えて貯留部１９ａの芳香剤を蒸発または昇華させて香りを放出する（ステップＳ２０３）。
【００５９】
そして、芳香剤放散制御部４３は、情報記憶部４４に貯留部１９ａを表す番号「１」を記憶させる（ステップＳ２０４）。さらに、芳香剤放散制御部４３は、情報記憶部４４に計時部４１が計時した経過時間（貯留部選択キーが押下された時間）を記憶する（ステップＳ２０５）。そして、貯留部選択処理を終了する（サブルーチンリターン）。
【００６０】
現在、貯留部１９ａが選択されている場合（ステップＳ２０２：ＹＥＳ）、芳香剤放散制御部４３は、保持部材回動部２３に指示をして香りの放出を停止する（ステップＳ２０６）。そして、芳香剤放散制御部４３は、情報記憶部４４に香りの放出停止を表す番号「０」を記憶させる（ステップＳ２０７）。さらに、芳香剤放散制御部４３は、情報記憶部４４に計時部４１が計時した経過時間を記憶する（ステップＳ２０５）。そして、貯留部選択処理を終了する（サブルーチンリターン）。
【００６１】
貯留部１９ｂに対応する貯留部選択キーが押下されていれば（ステップＳ２０１：貯留部１９ｂ）、芳香剤放散制御部４３は、現在、貯留部１９ｂが選択されている状態か否かを判断する（ステップＳ２０８）。現在、貯留部１９ｂが選択されていない場合（ステップＳ２０８：ＮＯ）、芳香剤放散制御部４３は、保持部材回動部２３に指示をして貯留部１９ｂに切り換えて貯留部１９ｂの芳香剤を蒸発または昇華させて香りを放出する（ステップＳ２０９）。
【００６２】
そして、芳香剤放散制御部４３は、情報記憶部４４に貯留部１９ｂを表す番号「２」を記憶させる（ステップＳ２１０）。さらに、芳香剤放散制御部４３は、情報記憶部４４に計時部４１が計時した経過時間を記憶する（ステップＳ２０５）。そして、貯留部選択処理を終了する（サブルーチンリターン）。
【００６３】
現在、貯留部１９ｂが選択されている場合（ステップＳ２０８：ＹＥＳ）、ステップＳ２０６に移行し、芳香剤放散制御部４３は、保持部材回動部２３に指示をして香りの放出を停止し、情報記憶部４４に香りの放出停止を表す番号「０」を記憶させる。さらに、芳香剤放散制御部４３は、情報記憶部４４に計時部４１が計時した経過時間を記憶させて、貯留部選択処理を終了する（サブルーチンリターン）。
【００６４】
貯留部１９ｃに対応する貯留部選択キーが押下されていれば（ステップＳ２０１：貯留部１９ｃ）、芳香剤放散制御部４３は、現在、貯留部１９ｃが選択されている状態か否かを判断する（ステップＳ２１１）。現在、貯留部１９ｃが選択されていない場合（ステップＳ２１１：ＮＯ）、芳香剤放散制御部４３は、保持部材回動部２３に指示をして貯留部１９ｃに切り換えて貯留部１９ｃの芳香剤を蒸発または昇華させて香りを放出する（ステップＳ２１２）。
【００６５】
そして、芳香剤放散制御部４３は、情報記憶部４４に貯留部１９ｃを表す番号「３」を記憶させる（ステップＳ２１３）。さらに、芳香剤放散制御部４３は、情報記憶部４４に計時部４１が計時した経過時間を記憶する（ステップＳ２０５）。そして、貯留部選択処理を終了する（サブルーチンリターン）。
【００６６】
現在、貯留部１９ｃが選択されている場合（ステップＳ２１１：ＹＥＳ）、ステップＳ２０６に移行し、芳香剤放散制御部４３は、保持部材回動部２３に指示をして香りの放出を停止し、情報記憶部４４に香りの放出停止を表す番号「０」を記憶させる。そして、芳香剤放散制御部４３は、情報記憶部４４に計時部４１が計時した経過時間を記憶させて、貯留部選択処理を終了する（サブルーチンリターン）。
【００６７】
上述した図７および図８のフローチャートの貯留部情報記憶処理の実行が情報設定手段に相当する。そして、貯留部情報が情報記憶部４４に記憶された状態で、プロジェクタ１の入力操作部１２やリモコン１４に備わる香り演出再生キーを押下すると、芳香剤放散制御部４３は、情報記憶部４４に記憶された経過時間で、その経過時間に対応した貯留部１９の１つを保持部材回動部２３に指示して選択させ、香りを放出させる。なお、香りの発生を開始させる手段は、香り演出再生キーには限定しない。例えば、プロジェクタ２の機能メニュー（図示せず）に香り演出再生のための項目を備え、機能メニュー上の操作によって、香り演出再生キーの押下と同様な機能を行わせるものとしてもよい。
【００６８】
上述した実施形態によれば、以下の効果が得られる。
（１）プロジェクタ１は、情報記憶部４４に記憶された経過時間で、貯留部１９の１つを選択し、選択した貯留部１９（１９ａ，１９ｂ，１９ｃのいずれか）から香りを放出させる。これにより、経過時間に対応して、様々な香りを放出させることができる。
【００６９】
（２）プロジェクタ１は、入力操作部１２またはリモコン１４の操作によって、情報記憶部４４に貯留部情報を記憶させることができる。これにより、ユーザは、所望の経過時間で、所望の香りを放出させることができる。
【００７０】
（３）プロジェクタ１では、映画等の映像を鑑賞しながら、貯留部選択キーによって、好みの香りを選択し、情報記憶部４４に記憶させることができる。これにより、ユーザは、きめ細かなタイミングで放出する香りを切り換えることができる。例えば、映像において、アクションシーン（場面）においては、気分を高ぶらせる香り（例えば、アロマテラピーで気分を高ぶらせる効果があるといわれるジャスミンのにおい）を放出し、風景等の場面においては、気分を開放的にさせる香り（例えば、ペパーミントのにおい）を放出することができる。
【００７１】
（４）プロジェクタ１は、芳香剤放散制御部４３が保持部材回動部２３に指示をして保持部材１７を回動させることで、貯留部１９の１つを選択する。これにより、保持部材１７の回動動作によって、映像等の場面に応じて、複数の中から１つの貯留部１９を選択することができる。
【００７２】
（５）プロジェクタ１の芳香剤放散機構には、カーテン状の囲い部材２７を備えている。これにより、選択された１つの貯留部以外の貯留部からの香りの放出を抑制することができる。
【００７３】
（６）プロジェクタ１では、芳香剤放散制御部４３が保持部材回動部２３に指示をして保持部材１７を所定の位置に回動することにより、熱伝達部材２１からいずれの貯留部１９にも伝熱されない状態にすることができる。これにより、保持部材１７の回動位置によって香りの放出を停止することができる。
【００７４】
（７）プロジェクタ１は、画像投写時に、光源２２が発生する熱によって、貯留部１９から香りを放出させるため、光源２２が発する熱を有効に利用することができる。
【００７５】
（第２の実施形態）
以下、第２の実施形態について説明する。
【００７６】
図９は、第２の実施形態に係るプロジェクタ２を前面から見た斜視図である。
図９に示すように、プロジェクタ２は、その本体が筐体７０で覆われた構成となっており、筐体７０の前面７０ａには投写レンズ１１、リモコン受信部１３、記録媒体であるＤＶＤ（Digital Versatile Disc）メディアを挿入するためのディスクスロット７６等を備えている。
【００７７】
プロジェクタ２は、筐体７０の上面７０ｂに、入力操作部１２を備えている。さらに、上面７０ｂには、芳香剤放散機構蓋７５が備えられており、芳香剤放散機構蓋７５には、芳香剤放散口１６が備えられている。
【００７８】
芳香剤放散機構蓋７５は、第１の実施形態と同様の芳香剤放散機構を被覆するための蓋である。芳香剤放散口１６は、香りを放出する第１の実施形態と同様の穴である。また、芳香剤放散機構の構成は、第１の実施形態と同様である。
【００７９】
図１０は、第２の実施形態に係るプロジェクタ２の概略構成を示すブロック図である。本実施形態に係るプロジェクタ２の内部構成には、記録媒体（ＤＶＤメディア６０）に記録された情報を読み取る構成を備えている。その他の構成等は第１の実施形態と同様である。図１０を使用して、プロジェクタ２の内部構成についてプロジェクタ１との差異を説明する。
【００８０】
図１０に示すように、プロジェクタ２は、データ読取部６１、信号処理部６２、入力選択部６４、チャプタ解析部６５を備えている。データ読取部６１および信号処理部６２をまとめてＤＶＤ再生部６３と呼ぶ。さらに、プロジェクタ２の外部に、ＤＶＤメディア６０を外部に備えている。また、情報記憶部６６は、第１の実施形態の情報記憶部４４と異なる構成としている。
【００８１】
ＤＶＤ再生部６３は、ＤＶＤメディア６０に記録された情報を読み取って、この情報に基づく画像情報を出力する画像再生部に相当するものであり、データ読取部６１および信号処理部６２等を含んで構成されている。
【００８２】
データ読取部６１は、制御部４０の指示に基づいて、ディスクスロット７６に挿入されたＤＶＤメディア６０をスピンドルモータ（図示せず）で回転させるとともに、光ピックアップ（図示せず）を走査して、ＤＶＤメディア６０に記録されている情報信号（データストリーム）を順次読み取る。データ読取部６１によって読み取られた情報信号は、信号処理部６２に順次出力される。
【００８３】
信号処理部６２は、デマルチプレクサやデコーダ等で構成され、制御部４０の指示に基づいて、データ読取部６１から入力される情報信号を画像情報と音声情報とに分離する処理や、分離した画像情報や音声情報をデコード（復号化）する処理等を行う。信号処理部６２は、復号化された画像情報を入力選択部６４に出力し、復号化された音声情報を図示しない音声出力部に出力する。なお、ＤＶＤ再生部６３が、ＤＶＤメディア６０から情報信号を読み取って、この情報信号に基づく画像情報を出力することを、本明細書では「ＤＶＤを再生する」と表記する。
【００８４】
入力選択部６４は、入力端子５０から画像信号変換部５１を経て入力される画像情報（外部入力画像情報）と、ＤＶＤ再生部６３から入力される画像情報（ＤＶＤ画像情報）のいずれか一方を、制御部４０の指示に基づいて選択し、選択した画像情報を画像処理部５２に出力する。すなわち、入力選択部６４は、外部入力画像情報に基づく画像（外部入力画像）を表示する状態と、ＤＶＤメディア６０から読み取られた情報に基づく画像（ＤＶＤ画像）を表示する状態とを、制御部４０の指示に応じて切り換えることができる。
【００８５】
チャプタ解析部６５は、ＤＶＤメディア６０から読み取られた情報に含まれるチャプタ情報を解析し、ＤＶＤメディア６０に含まれるチャプタ数や、再生中の映像のチャプタ番号等のチャプタ番号情報を制御部４０に通知する。
【００８６】
情報記憶部６６は、不揮発性のメモリからなり、芳香剤放散制御部４３が保持部材回動部２３に指示して保持部材１７に選択させる貯留部１９を表す選択貯留部の番号、および、該貯留部を選択すべきタイミングとしてのチャプタ番号を記憶する。
図１１は、情報記憶部６６の領域構成図である。図１１に示すように、情報記憶部６６にはデータ配列Ｈ２が記憶されている。データ配列Ｈ２の左側の列には、チャプタ番号が記憶され、右側の列にはチャプタ番号に対応して選択すべき貯留部の番号が記憶されている。本実施形態では、チャプタ番号は自然数とし、貯留部の番号は、貯留部１９ａ，１９ｂ，１９ｃをそれぞれ番号１，２，３に対応させて記憶している。貯留部の番号が０の場合は、香りの放出停止を表す。
【００８７】
次に、本実施形態のプロジェクタ２の動作について説明する。
プロジェクタ２の電源オンから画像投写までの動作は、第１の実施形態のプロジェクタ１と同様である。プロジェクタ２のＤＶＤ再生部６３によってＤＶＤの再生を開始したときに、ユーザが入力操作部１２やリモコン１４に備わるメニューキー等の所定の操作を行うと、プロジェクタ２は、香り放出チャプタ設定メニューを投写画像上に表示する。
【００８８】
図１２は、香り放出チャプタ設定メニュー図である。本実施形態では、香り放出チャプタ設定メニューＭ１は、ＯＳＤ表示とし、制御部４０がＯＳＤ処理部５３に指示を行って表示する。香り放出チャプタ設定メニューＭ１では、香りを放出したいチャプタと貯留部の番号の入力を促すメッセージを画面上部に表示し、チャプタ番号と貯留部番号の表を画面中央に表示する。そして、キー入力手順についての説明を画面下部に表示する。
【００８９】
ユーザが入力操作部１２やリモコン１４を操作して、画面上でチャプタ番号および貯留部番号に数値を入力すると、操作信号は制御部４０を介して芳香剤放散制御部４３に入力され、芳香剤放散制御部４３は、操作信号に基づいて貯留部情報を情報記憶部６６に記憶させる。上述した香り放出チャプタ設定メニューＭ１による貯留部情報の記憶方法が、本実施形態における情報設定手段に相当する。
【００９０】
そして、貯留部情報が情報記憶部６６に記憶された状態で、プロジェクタ２の入力操作部１２やリモコン１４に備わる香り演出再生キーを押下すると、芳香剤放散制御部４３は、再生される映像のチャプタ毎に、情報記憶部６６に記憶されたチャプタに対応した貯留部１９の１つを保持部材回動部２３に指示して選択させ、香りを放出させる。このとき、再生される映像のチャプタ番号の情報は、チャプタ解析部６５から制御部４０を介して芳香剤放散制御部４３に伝達される。
【００９１】
上述した第２の実施形態によれば、第１の実施形態での効果（４）〜（７）と同様の効果を奏することができる。他に、以下の効果が得られる。
（１）プロジェクタ２は、再生される映像のチャプタ毎に、情報記憶部６６に記憶された貯留部を選択し、選択した貯留部から香りを放出させる。これにより、チャプタの映像に対応して、様々な香りを放出させることができる。
【００９２】
（２）プロジェクタ２は、入力操作部１２またはリモコン１４の操作によって、情報記憶部６６に貯留部情報を記憶させることができる。これにより、ユーザは、所望のチャプタで、所望の香りを放出させることができる。
【００９３】
（３）プロジェクタ２は、香り放出チャプタ設定メニューＭ１により、一括して貯留部情報を入力することができる。これにより、短時間で容易に貯留部情報の設定を行うことが可能となる。
【００９４】
なお、上述した実施形態に限定されず、種々の変更や改良等を加えて実施することが可能である。変形例を以下に述べる。
【００９５】
（変形例１）上記第１の実施形態では、プロジェクタ１の情報設定手段として、図７および図８のフローチャートのように貯留部情報記憶処理を実行しているが、情報設定手段は、プロジェクタ１の機能メニューにより貯留部情報を設定し記憶させるものとしてもよい。
図１３は、変形例１に係る香り放出時間設定メニュー図である。ユーザが入力操作部１２やリモコン１４に備わるメニューキー等を押下すると、プロジェクタ１は、図１３に示すような、香り放出時間設定メニューＭ２を投写画像上に表示する。本変形例では、香り放出時間設定メニューＭ２は、ＯＳＤ表示とし、制御部４０がＯＳＤ処理部５３に指示を行って表示する。香り放出時間設定メニューＭ２では、香りを放出したい経過時間と貯留部の番号の入力を促すメッセージを画面上部に表示し、経過時間と貯留部番号の表を画面中央に表示する。そして、キー入力手順についての説明を画面下部に表示する。
【００９６】
ユーザは、経過時間および貯留部番号の表に数値を入力することで、情報記憶部４４に貯留部情報を記憶させる。そして、その後にプロジェクタ１を使用する際に、香り演出再生キーを押下すると、芳香剤放散制御部４３は、情報記憶部４４に記憶された経過時間で、その経過時間に対応した貯留部１９の１つを保持部材回動部２３に選択させて、香りを放出させる。これにより、香り放出時間設定メニューＭ２により、一括して貯留部情報を入力することが可能となり、容易に香りの放出の設定を行うことができる。そして、所望の経過時間で所望の香りを放出することができる。例えば、会議等でプロジェクタ１を用いたプレゼンテーションを行っている場合に、所定の経過時間後に、眠気防止のある香り（例えば、アロマテラピーで気分を高ぶらせる効果があるといわれるペパーミントのにおい）や、集中力を高める香り（例えば、レモンのにおい）を放出するように設定することもできる。また、睡眠を促進する香り（例えば、ラベンダーのにおい）を放出することも可能である。
【００９７】
（変形例２）上記第２の実施形態では、プロジェクタ２の情報設定手段は、香り放出チャプタ設定メニューＭ１により、貯留部情報を記憶させていたが、上記第１の実施形態と同様に、貯留部情報記憶処理を実行し、情報記憶部６６には、貯留部選択キーが押下されたときのチャプタとその貯留部番号を記憶させるものとしてもよい。こうすれば、映像を観賞しながら貯留部情報を記憶させることができるため、直感的に所望の香りの芳香剤（貯留部）を選択することが可能となる。
【００９８】
（変形例３）上記実施形態では、情報記憶部４４は、貯留部情報をデータ配列（Ｈ１，Ｈ２）として記憶するものとしたが、データ配列は複数記憶可能としてもよい。こうすれば、例えば、複数の映画等に対して、それぞれ貯留部情報を記憶することができるため、ユーザにとって有益である。
【００９９】
（変形例４）上記実施形態では、光変調装置として、透過型の液晶ライトバルブ３２を用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【図面の簡単な説明】
【０１００】
【図１】第１の実施形態に係るプロジェクタを前面から見た斜視図。
【図２】芳香剤放散機構蓋を外したプロジェクタを前面から見た斜視図。
【図３】芳香剤放散機構の概略斜視図。
【図４】保持部材を上面から見た説明図。
【図５】プロジェクタの概略構成を示すブロック図。
【図６】情報記憶部の領域構成図。
【図７】プロジェクタの貯留部情報記憶処理のフローチャート。
【図８】貯留部選択処理のフローチャート。
【図９】第２の実施形態に係るプロジェクタを前面から見た斜視図。
【図１０】プロジェクタの概略構成を示すブロック図。
【図１１】情報記憶部の領域構成図。
【図１２】香り放出チャプタ設定メニュー図。
【図１３】変形例１に係る香り放出時間設定メニュー図。
【符号の説明】
【０１０１】
１，２…プロジェクタ、１０，７０…筐体、１１…投写レンズ、１２…入力操作部、１３…リモコン受信部、１４…リモコン、１５，７５…芳香剤放散機構蓋、１６…芳香剤放散口、１７…保持部材、１７ａ…軸、１８，１８ａ，１８ｂ，１８ｃ…開口部、１９，１９ａ，１９ｂ，１９ｃ…貯留部、２０…支持部材、２１…熱伝達部材、２２…光源、２３…保持部材回動部、２５…ファン駆動部、２６…ファン、２７…囲い部材、３０…画像投写部、３２…液晶ライトバルブ、３４…ライトバルブ駆動部、４０…制御部、４１…計時部、４２…光源制御部、４３…芳香剤放散制御部、４４，６６…情報記憶部、５０…入力端子、５１…画像信号変換部、５２…画像処理部、５３…ＯＳＤ処理部、６０…ＤＶＤメディア、６１…データ読取部、６２…信号処理部、６３…ＤＶＤ再生部、６４…入力選択部、６５…チャプタ解析部、７６…ディスクスロット。
【図１】
2009192969.tif 000003
【図２】
2009192969.tif 000004
【図３】
2009192969.tif 000005
【図４】
2009192969.tif 000006
【図５】
2009192969.tif 000007
【図６】
2009192969.tif 000008
【図７】
2009192969.tif 000009
【図８】
2009192969.tif 000010
【図９】
2009192969.tif 000011
【図１０】
2009192969.tif 000012
【図１１】
2009192969.tif 000013
【図１２】
2009192969.tif 000014
【図１３】
2009192969.tif 000015